(57)【要約】      （修正有）【課題】使い勝手の良いペットのフン処理用袋取付け具を提供する。【解決手段】ペットの尻尾を貫通させる貫通孔を有するオムツに対して、ペットの背側に直接的または間接的に固定するペア固定具１０とサスペンダー２０を設け、さらに、ペットの腹側に直接的または間接的に固定するシングル固定具６０を介して、伸縮自在のリング具４０と袋からなるフン収納袋５０の袋開口部付近を、安定してペットの肛門に覆いかぶさるよう装着させ、フンをフン収納袋に確実に落としめれるようにしたものである。【選択図】図７
0003228968.tif 000002
【実用新案登録請求の範囲】
【請求項１】
ペットの尻尾を貫通させる貫通孔を有するオムツに対して、ペットのフンを入れる
袋を取付けるフン収納袋取付け具であって、前記ペットの背面側に直接的または
間接的に固定し、かつ、前記袋の開口部付近を横幅方向に一定間隔をもって２箇所で
固定する背面側袋固定部を備える、ペットのフン収納袋取付け具
【請求項２】
前記ペットの腹面側に直接的または間接的に固定し、かつ、前記袋の開口部付近を
固定する腹面側袋固定部をさらに備える、請求項１に記載のペットのフン収納袋
取付け具
【請求項３】
前記袋の開口部付近に外嵌する伸縮自在のリング具をさらに備え、前記リング具は
前記背面側袋固定部及び前記腹面側固定部によって前記袋の開口部付近と共に固定
される、請求項２に記載のペットフン収納袋取付け具
【考案の詳細な説明】
【技術分野】
【０００１】
本考案はペットのフン収納袋取付けとする袋取付け具に関する。
【背景技術】
【０００２】
従来、犬のフン処理用の袋はペット用オムツに、接着剤で接着されていた。（特許文献１）
【先行技術文献】
【特許文献】
【０００３】
【特許文献１】特許  第６２３２６８８号公報
【考案の概要】
【考案が解決しようとする課題】
【０００４】
上述したような、犬のフン処理用袋のオムツの装着方法では、オムツから外れ落ちる
恐れがあった。また袋の着脱時に犬の毛がむしり取られる恐れがあり使い勝手が
悪かった。また、使用頻度の高いフン処理用袋そのものにミシン目を入れたり、オムツ
との貼着のための両面テープなどを取付けるのも手間であった。
そこで、本考案は、使い勝手の良いペットのフン処理用袋取付け具を提供することに
より、前述の欠点を解決しうるものである。
【課題を解決するための手段】
【０００５】
本考案は、ペットの尻尾を貫通させる貫通孔を有するオムツに対して、ペットの
フンを入れる袋を取付けるフン収納袋取付け具であって、前記ペットの背面側に
直接的または間接的に固定し、かつ、前記袋の開口部付近を横幅方向に一定間隔を
もって２箇所で固定する背面側袋固定部を備える、ペットのフン収納袋取付け具
である。
【０００６】
また、本考案は、前記ペットの腹面側に直接的または間接的に固定し、かつ、前記
袋の開口部付近を固定する腹面側袋固定部をさらに備える、請求項１に記載のペットの
フン収納袋取付け具である。
【０００７】
さらに、本考案は、前記袋の開口部付近に外嵌する伸縮自在のリング具をさらに備え
前記リング具は前記背面側袋固定部及び前記腹面側固定部によって前記袋の開口部
付近と共に固定される、請求項２に記載のペットフン収納袋取付け具である。
【考案の効果】
【０００８】
まず、背面側袋固定部でペットの尻尾を中心に、その左右下方向からフン収納袋を
位置させることでペットがいかなる動きをしても、ペット自身の尻尾がフン収納袋の
ストッパーとしての役割を果たし、フン収納袋がペットの背面に反転せずに常にフンを
フン収納袋に落しめる用意が出来ている。
つぎに、腹面側袋固定部でフン収納袋をペットの肛門下方向より支えることで
フン収納袋をぐらつかせることなく、しっかりと固定することが出来る。
これにより、フン収納袋の開口部を確実に拡げることが出来、フンをフン収納袋に
確実に落しめることが出来る。
さらに、リング具を用いれば、リング具によって袋の開口部をペットの肛門を覆う
程度に縮小させ、それゆえペットの肛門付近に安定して位置させることが出来る。
また、リング具が袋開口部にあることで、背面側袋固定部、腹面側袋固定部への
取付けが簡便になる。
これにより本考案は、既存のペット用オムツの形状をそのまま利用することが出来
しかもそのオムツ、フン収納袋とも汚れない限り繰り返し使うことが出来、経済的
である。なにより、上記の背面側袋固定部、腹面側袋固定部、フン収納袋を使用する
ことで誰でも簡単に扱え、手を汚さずにフンの始末が出来、ペットの体毛や皮膚を
傷つけることはない。よって、使い勝手が格段に向上する。
【図面の簡単な説明】
【０００９】
【図１】本考案の実施形態に係る、ペア固定具の平面図である。
【図２】図２（ａ）本考案の実施形態に係る、サスペンダーの表側から見た平面図、（ｂ）は本考案の実施形態に係る、サスペンダーの裏側から見た            平面図である。
【図３】本考案の実施形態に係る、袋の平面図である。
【図４】本考案の実施形態に係る、リング具の平面図である。
【図５】本考案の実施形態に係る、図３の袋と図４のリング具を取付けたフン収納袋の平面図である。
【図６】図６（ａ）本考案の実施形態に係る、シングル固定具の表側から見た            平面図、（ｂ）は本考案の実施形態に係る、シングル固定具の裏側から見た平面図である。
【図７】本考案の実施形態に係る、ペット用オムツ及び固定具とフン収納袋           の使用状態を、ペット背面から見た斜視図である。
【図８】本考案の実施形態に係る、ペット用オムツ及び固定具とフン収納袋            の使用状態を、ペット腹面から見た平面図である。
【図９】本考案の実施形態に係るペット用オムツ及び固定具とフン収納袋の            の使用状態を示す側面図である。
【図１０】本考案の別実施形態に係るオムツカバーの平面図である。
【図１１】本考案の別実施形態に係るストレート固定具の平面図である。
【考案を実施するための形態】
【００１０】
本考案に係るペットのフン収納袋取付け具１は、図７に示すようにペア固定具１０
サスペンダー２０、リング具４０及びシングル固定具６０を備える。以下、個々の
構成部について説明する。
（１）ペア固定具の説明
図１に示すようにペア固定具１０は、板状でその片面上部にサスペンダー２０なる
部品を結合させるように留め具１１を備えた物である。ペア固定具１０の芯となる中の
素材は、軽く柔らかくしなる。この素材はペットの背中に添ってかつペットに痛みが
なく、ペットの動きを妨げない素材である。ペア固定具１０の芯となる素材を
包む布袋１２は、滑りのよいもので洗うことが可能な素材が好ましい。
【００１１】
（２）サスペンダーの説明
サスペンダー２０は図２に示すように上部に留め具２１を備え、ペア固定具１０の
留め具１１に取付け出来るように構成された物である。ペット用オムツ１２０の
背面側前先端部からフン収納袋５０の袋開口部にかけての長さが、ペットの個体や
袋３０の大きさで変わるので、サスペンダー２０は長さ調節が出来るよう長さ調節具
２２を備えている。サスペンダー２０の下部留め具２３で、フン収納袋５０の開口部を
はさみ留める。
また、２つの留め具２３の間に横幅方向に渡っている部分のガイド２４は
ペア固定具１０に取付ける際、その位置が大きくずれないように指標の役目を
している。
この実施形態ではペア固定具１０とサスペンダー２０によって背面側袋固定部が
構成される。
【００１２】
（３）袋の説明
袋３０の種類は選ばないが、ペットの個体の大きさに合い、なるべく音の立ちにくい
材質がよい。
また、排便の様子が分かる透明もしくは半透明が望ましいが、反対に目につくことを
避けたい場合は、色柄のあるものでも問題はない。
【００１３】
（４）リング具の説明
リング具４０は、伸縮性とクッション性があるもので、適度な厚みと幅があり、かつ
ペットの肛門を覆うことの出来る大きさのものが望ましい。
【００１４】
（５）フン収納袋の説明
フン収納袋５０は、袋３０とリング具４０を組み合わせることにより構成される。
【００１５】
（６）シングル固定具の説明
図６を示すシングル固定具６０は上部留め具を備え、ペット用オムツ１２０装着時に
ペットの腹部にあたる箇所に取付け出来るよう構成された物である。
上部留め具６１にてペット用オムツ１２０に腹面側先端部に留めて固着する。
ペット用オムツ１２０腹面側先端部からフン収納袋５０の開口部にかけての長さが
ペットの個体や袋３０の大きさで変わるので、長さ調節が出来るよう長さ調節具６２を
備えている。
下部留め具６３で、フン収納袋５０の開口部をはさみ留める。
この実施形態では腹面側袋固定部に相当する。
【００１６】
次に、図１〜図９を参照して、本考案の実施形態に係るペット用オムツ１２０に
ペットのフン収納袋取付け具１を用いて、フン収納袋５０を装着する方法について
説明する。  
〔ペットのフン収納袋取付け具の取付け方〕
まず、リング具４０に袋３０をくぐらせ、袋３０の開口部を１／３程度外側に
折り返すことで、フン収納袋５０とする。
つぎに、ペット用オムツ１２０のペット腹部にあるギャザー部１２１の中心辺りを
シングル固定具６０の上部留め具６１にてはさみ留める。ペット用オムツ１２０
の腹部に固着されたシングル固定具６０を後方へ伸ばし、フン収納袋５０の開口部の
一部一個所にはさみ留める。
つぎに、シングル固定具６０を取付けたフン収納袋５０の開口部に、シングル
固定具６０が取付けられた位置とは反対の位置の左右２箇所それぞれに
下部留め具２３をはさみ留める。
この時、サスペンダー２０の下部留め具２３の左右間に渡っているガイド２４に
沿うように開口部にあるリング具４０を、少し引っ張りながらはさみ留めるとよい。
上述のように、ペット用オムツ１２０にシングル固定具６０、サスペンダー２０
とによって、フン収納袋５０を取付けたら、そのオムツをペットに装着させる。
この時ペットの肛門が尻尾貫通孔から全て見えているか確認する。見えていなければ
ペット用オムツ１２０の尻尾貫通孔付近の切り込みを裂いて貫通孔を広げ、ペットの
肛門がペット用オムツ１２０の素材で隠れないようにする。
つぎに、ペットにシングル固定具６０、サスペンダー２０とによってフン収納袋
５０を取付けたペット用オムツ１２０を装着させたら、ペットの背部とペット用オムツ
１２０背部側上部との隙間に、ペア固定具１０を滑り込ませる。
ペア固定具１０の留め具１１の根元まで入れ込んだら、サスペンダー２０の
上部留め具２１左右を持ち、ペア固定具の留め具１１に向かって引き上げていく。
ペア固定具１０の留め具１１と、サスペンダー２０の上部留め部２１を合わせ
取付ける。
フン収納袋５０の開口部がペットの肛門を覆うように、かつ開口部のリング具４０の
たるみ・くい込みなどが無いか確認し必要に応じてサスペンダー２０の長さ調節具２２
シングル固定具６０の長さ調節具６２にて長さ調整する。
（装着された状態は、図７・図８参照）
【００１７】
次に、図９の側面図参照にて、フンがフン収納袋５０に収納された後の取り外し方を
説明する。
〔ペットのフン収納袋取付け具の取り外し方〕
フンがフン収納袋５０に収納されたら、フン収納袋５０の開口部付近を持ちながら
サスペンダー２０の下部留め具２３を左右外し、そのままシングル固定具６０の
下部留め具６３も外す。フンの入っているフン収納袋５の折り返しを上げて、リング具
４０を利用してくくり閉めるか、リング具４０を外して袋３０のみで開口部を結ぶか
フンを取り出してから袋３０を処分してもよい。
つぎに、ペア固定具１０とペア固定具１０に接合された、サスペンダー２０を
ペット用オムツ１２０とペットの背部の間から引き出してペット用オムツ１２０を
外す。
そのペット用オムツ１２０に固着されたシングル固定具６０も外し、ペット用
オムツ１２０が尿などで汚れていたら、ペット用オムツ１２０を処分する。
ペア固定具１０、サスペンダー２０、シングル固定具６０は繰り返し使用することが
出来る。
フン収納袋５０及びペット用オムツ１２０は、汚れていなければどちらかのみ
もしくはその両方とも再利用することが出来る。
【００１８】
このように、既存のペット用オムツ１２０とペットの背の間に、板状なる固定具を
はさみ込みその固定具より連なるサスペンダー２０にて、フン収納袋をペットの
肛門部に覆いかぶさるよう装着させることによって、フンをフン収納袋に落としめる
ことが出来る。
本件は、オス用の腹巻形のオムツ（マナーベルト）も、尻尾を貫通させる貫通孔を
有するオムツとして適する。
〔別実施形態〕
【００１９】
上述の実施形態では、ペット用オムツ１２０・マナーベルト共に、ペア固定具１０
サスペンダー２０、シングル固定具６０にてフン収納袋５０を直接的に装着するが、
ペット用オムツ１２０を使用する場合に限ってシングル固定具６０の代わりに
ガムテープなどを使って、フン収納袋５０を直接的にペット用オムツ１２０腹部に
貼着することも可能である。
【００２０】
ペア固定具１０にてサスペンダー２０を取付ける方法の他に、サスペンダー２０の
上部留め具２１の部分に他の留め具を採用し、ペア固定具１０を使用せず間接的に
サスペンダー２０をペット用オムツ１２０を介して固定することも可能である。
この場合、サスペンダー２０が背面側固定部に相当する。
【００２１】
ペア固定具１０とサスペンダー２０を連結させる方法は限定されない。例えば金属
またはプラスチック素材のスナップ類・面ファスナーやクリップ・Ｄカン・Ｚカン
ワンタッチベルト・ゴム素材を加工した物など、多種による留め具を用いて直接的に
連結することが出来る。
【００２２】
サスペンダー２０とシングル固定具６０に備えられているそれぞれの長さ調節具
２２・６２のかわりに、例えば、ゴム素材の物やＤカンとヒモテープ、また
面ファスナーなどで長さを調節することが可能な物を採用しても構わない。
【００２３】
フン収納袋５０であるが、例えば、小ぶりのレジ袋にリング具４０を外側にはめて
さらにレジ袋の取っ手部をリング具４０の外側から内側にいれて上に引き出すことで
レジ袋の開口部が安定し、レジ袋の取っ手が耳状になる。そうして出来たフン収納袋
５０を使って、サスペンダー２０を使わず、間接的にペット用オムツ１２０を介して
ペットの背側に耳状の取っ手部をガムテープなどで貼着したり、ペア固定具１０の
留め具を工夫して直接的に耳状の取っ手部をペア固定具１０に取付けることも
可能である。後者の場合、ペア固定具１０が背面側袋固定具に相当する。
これらの場合、腹面側はシングル固定具６０を用いるかガムテープなどで貼着しても
よい。ただし、腹面側に貼着するにはマナーベルトは適さない。
【００２４】
上述の実施形態では、ペア固定具１０、サスペンダー２０、シングル固定具６０を
用いてフン収納袋５０を直接的に装着する。しかしながら、ペットの尻尾を中心点と
してその左右に留め具を用意し、さらに肛門より下部に留め具を用意して、それぞれの
留め具を使いフン収納袋５０を肛門付近に安定して備えることによりフンを
フン収納袋５０に落とすことも可能である。
例えば、オムツカバー１００を用いてその尻尾貫通孔の付近に、下部留め具２３
下部留め具６３に相当する留め具を用意しフン収納袋５０を取付け、その機能が働く
ように、間接的に装着させればよい。（図１０参照）
【００２５】
さらに、図１１に示すような、図２の下部止め具２３及び図６の下部止め具６３を
集約した状態でリング具４０、もしくは類似した具材に取り付けたストレート固定具
１１０が用いられてもよい。ストレート固定具１１０は、止め具１１を下部止め具
２３に接続可能な留め具に変更したペア固定具はもちろん、ペア固定具の機能が
付いたペットウェアやハーネス、オムツカバー類などへ取付けることが出来る。
【符号の説明】
【００２６】
１  ペットのフン収納袋取付け具
１０  ペア固定具
１１  留め具
１２  布袋
１３  素材
２０  サスペンダー
２１  上部留め具
２２  長さ調節具
２３  下部留め具
２４  ガイド
３０  袋
４０  リング具
５０  フン収納袋
６０  シングル固定具
６１  上部留め具
６２  長さ調節具
６３  下部留め具
１００オムツカバー
１１０ストレート固定具
１２０ペット用オムツ
１２１ペット用オムツの腹部にあるギャザー部
【図１】
0003228968.tif 000003
【図２】
0003228968.tif 000004
【図３】
0003228968.tif 000005
【図４】
0003228968.tif 000006
【図５】
0003228968.tif 000007
【図６】
0003228968.tif 000008
【図７】
0003228968.tif 000009
【図８】
0003228968.tif 000010
【図９】
0003228968.tif 000011
【図１０】
0003228968.tif 000012
【図１１】
0003228968.tif 000013